(57)【要約】      （修正有）【課題】ハーモニカの温度が低い場合でも、呼気中の水分がバルブとリードフレートの接触面に結露せず、バルブがリードプレートに張り付いて音が出難くくならないクロマチックハーモニカ用加熱装置を提供する。【解決手段】クロマチックハーモニカの外周金属部分と接触するように配置された熱拡散部材1、発熱部材2、温度制御装置3、保温部材4、容器5などから構成される。外部電源を温度制御装置3に接続して熱拡散部材1を一定温度に加熱することで、クロマチックハーモニカのリードプレートを体温程度の一定温度に加温し、結露の不具合を解消する。熱拡散部材1と発熱部材2を一つに纏めて、面状発熱部材に置換えることも可能である。【選択図】図１
2017067969.tif 000002
【特許請求の範囲】
【請求項１】
ロマチックハーモニカの外周金属部分と接触するように配置された熱拡散部材、前記熱拡散部材に保持された発熱部材、前記発熱部材に接続された温度制御装置、前記ロマチックハーモニカと前記熱拡散部材と前記発熱部材と前記温度制御装置を覆う保温部材、及びこれ等の全てを収納する容器を備え、前記温度制御装置に電源を接続して前記発熱部材を加熱することで、前記熱拡散部材を介して前記クロマチックハーモニカを一定温度に加熱することを特徴とするクロマチックハーモニカ用加熱装置。
【請求項２】
ロマチックハーモニカの外周金属部分と接触するように配置された面状発熱部材、前記面状発熱部材に接続された温度制御装置、前記ロマチックハーモニカと前記面状発熱部材と前記温度制御装置を覆う保温部材、及びこれ等の全てを収納する容器を備え、前記温度制御装置に電源を接続して前記面状発熱部材を加熱することで、前記クロマチックハーモニカを一定温度に加熱することを特徴とするクロマチックハーモニカ用加熱装置。
【発明の詳細な説明】
【技術分野】
【０００１】
本発明は、クロマチックハーモニカを用いて演奏する時に、ハーモニカ本体の温度が低い場合に発生する結露に起因する不具合を防止することを目的とした、クロマチックハーモニカ用の加熱装置に関するものである。
【背景技術】
【０００２】
クロマチックハーモニカは半音階を出すことが出来、このことで多くの楽器と協奏できる優れた楽器である。内部にある一対のリードプレー トにはそれぞれ多くのリードとバルブが対向して並設されている。バルブはフィルム状の 薄片で、吹音のときは吸リードから息が漏れないように、また吸音のときは吹リードから 息が漏れないようにする機能が有る。冬季などにおけるクロマチックハーモニカの演奏において、ハーモニカ本体の温度が低い場合、具体的にはクロマチックハーモニカのリードプレートの温度が呼気の露点より低い場合、呼気の中の水分がバルブとリードプレートの接触面およびその近傍で結露し、結露水の表面張力のためバルブがリードプレートに貼りついて音が出ない場合がある。音を出すために強く吹くと、バルブが突発的にリードプレートから離れ、「プッー」という突発音になる。
【０００３】
クロマチックハーモニカの結露のメカニズムを図3を用いて説明する。吹音の場合、呼気がリードプレート11の内側に固定された吹音リード9を振動させ、リードプレート11の外側に固定されたバルブ8を押し上げてリード孔10から外へ放出される。この時の息の流れを矢印で示した。リードプレート11の温度が呼気の露点より低い場合、リード孔10の周辺で結露が発生する。呼気を止めるとバルブ8が元の位置に戻るが、結露水はリードプレート11とバルブ8の間に滞留する。同一吹音を繰り返し鳴らしていると、結露水がリード孔10の周辺に蓄積され、水の表面張力のためにバルブ8がリードプレート11に貼り付いた状態となり、音が出難くなる。音を出すために強く吹くと急激にバルブが開き「プッー」という突発音になり、演奏の質を大きく損なうこととなる。
人間が自然呼吸しているときの呼気中の水蒸気濃度は飽和に近く、その露点は体温の36〜37℃に近い。しかしクロマチックハーモニカ演奏時は大量かつ早い呼気・吸気を繰り返すため、呼気の水蒸気濃度は低下し、その露点は体温より低い値となる。経験的には22℃程度以下の環境で保管されたクロマチックハーモニカを用いて演奏した場合に結露による不具合が発生する。このことから演奏中の呼気の露点は約22℃と推定される。
【０００４】
吸音の場合は、吸気がリードプレート11の外側に固定された吸音リード15を振動させ、リードプレート11の内側に固定されたバルブ11を内側に吸い込み、リード孔から内部に吸入される。この時、外気の湿度は低く、その露点はリードプレートの温度より低いため、結露の発生は無い。
【０００５】
従来は結露を防ぐためクロマチックハーモニカを服のポケットに入れたり、脇の下に挟んで体温で温めるなど色々な工夫がされているが、これらの方法では温度が十分に上がらず、結露を防止できないという問題があった。またクロマチックハーモニカを使い捨てカイロと共に布で包む方法も有るが、カイロの品質バラツキや環境温度が低すぎて、クロマチックハーモニカを十分加温することが出来ず、結露を防止できないという問題があった。
【０００６】
この結露の問題を防ぐ別の手段として、クロマチックハーモニカのリードプレートに小型の電気加熱装置を取り付け、演奏中に加熱しながら結露を防ぐという方法も近年提案されており、環境温度が低い中で演奏する場合には有効な手段と推定される。しかし、通常の演奏環境である室内の温度は15℃程度以上あり、演奏中はクロマチックハーモニカを掌で包むように保持することで保温されるため、演奏中の温度の低下はあまり問題にはならない。むしろ演奏前までにクロマチックハーモニカを十分加温しておくことが求められる。またこの方法では加熱用の電気を供給するための長いコードをハーモニカに接続するため、演奏時の外観は必ずしも良くないという問題がある。
【先行技術文献】
【特許文献】
【０００７】
【特許文献１】特許第5294519号
【発明の概要】
【発明が解決しようとする課題】
【０００８】
本発明が解決しようとする課題は、クロマチックハーモニカの演奏において、使用するハーモニカ本体の温度が低い時に、バルブとリードプレートの接触面間に発生する結露の問題を回避するようにした、クロマチックハーモニカ用加熱装置を提供することにある。
【課題を解決するための手段】
【０００９】
前記の課題を解決するため、本発明ではクロマチックハーモニカを演奏するまでの準備段階において、概ね体温程度の一定温度に電気的にコントロールされた容器内に、クロマチックハーモニカを入れて加温しておく。
【００１０】
そのための一つの様態は、ロマチックハーモニカの外周金属部分と接触するように配置された熱拡散部材を用意し、これに発熱部材と温度制御装置を接続し、更にこれ等の全体を保温部材と容器で覆う構造とした。外部電源を前記温度制御装置に接続して前記熱拡散部材を加熱することで、これと接するクロマチックハーモニカを一定温度に加熱するようにした。
【００１１】
他の容態は、ロマチックハーモニカの外周金属部分と接触するように配置された面状発熱部材を用意し、これに温度制御装置を接続、更にこれ等の全体を保温部材と容器で覆う構造とした。外部電源を前記温度制御装置に接続して前記面状発熱部材を加熱することで、これと接するクロマチックハーモニカを一定温度に加熱するようにした。
【発明の効果】
【００１２】
本発明は以上のように構成されるので、冬季などの寒い季節においても、いざ演奏するときに取り出したクロマティックハーモニカの温度は概ね体温程度に加温されており、従ってリードプレート温度は呼気の露点以上の温度が確保されており、その結果結露に起因する演奏時の不具合を抑えることが出来る。
【００１３】
また、演奏中は両掌でハーモニカを包むように保持するため、ハーモニカ温度の低下を防ぐことが出来、結露に起因する不具合は継続して生じ難い。また、本発明は演奏中にハーモニカを加熱することはしないため、長い電気コードを引きずることはなく、演奏時の外観を損なうことはない。
【図面の簡単な説明】
【００１４】
【図１】図１は本発明に係る実施例1の、熱拡散部材を用いたクロマチックハーモニカ用加熱装置の構成を示す説明図である。
【図２】図２は本発明に係る実施例2の、面状発熱部材を用いたクロマチックハーモニカ用加熱装置の構成を示す説明図である。
【図３】図３はクロマチックハーモニカの構造と結露のメカニズムを示す説明図である。
【図４】図４は実施例1におけるクロマチックハーモニカのリードプレート11の温度変化を示すグラフである。
【発明を実施するための形態】
【００１５】
クロマチックハーモニカの演奏時に、使用するハーモニカの温度が低い時に発生する結露の問題を回避するという目的を、実用的な観点から実現した。
【実施例１】
【００１６】
図１は本発明装置の第１の実施例の断面図である。クロマチックハーモニカに接してこれを加熱する媒体として熱拡散部材1を用意する。この熱拡散部材1の外面に発熱部材2を固定し、この発熱部材2に温度制御装置3を接続し、更にこれ等の全体を保温部材4で覆い、容器5に収納する。外部電源を電源接続端子6に接続して通電し、熱拡散部材1を一定温度に加熱することで、これと接するクロマチックハーモニカを例えば体温と同程度の一定温度に加熱することが出来る。
【００１７】
実施例1では熱拡散部材1を凹状アルミ合金片で構成し、発熱部材2はメタルクラッド抵抗を使った。温度制御装置3は、温度センサーICとフォトカプラーフォトリレーと基準抵抗で構成した。保温部材4は保温性の高い発泡ポリウレタンで、容器5は布製バッグで構成した。
【００１８】
室温15℃の環境で、外部電源として4.8V 1950mAhのニッケル水素電池を使って加熱した時の、クロマチックハーモニカのリードプレート11の温度変化を図4に示す。温度測定は熱電対をリードプレート11に固定し、データロガーで測定・記録した。約25分で30℃に、約45分で35℃の一定温度に達し、3時間以上一定温度を保った。熱拡散部材1の熱がクロマチックハーモニカの外周の金属製カバー12と金属製マウスピース13に伝わり、更にリードプレート11に伝わった結果である。温度制御装置3が通電のON-OFFを繰り返し、また保温部材4が有効に働いた結果、節電効果が顕著で長時間の保温が可能となった。
【実施例２】
【００１９】
図2は本発明装置の第２の実施例の断面図である。クロマチックハーモニカに接してこれを加熱する媒体として面状発熱部材7を用意する。この面状発熱部材7に温度制御装置3を接続し、更にこれ等の全体を保温部材4で覆い、容器5に収納する。
【００２０】
具体的には、面状発熱部材7は箔状の抵抗線を耐熱性が高いポリイミドシートでラミネートした部材で構成した。温度制御装置3は実施例1と同様のもので、また保温部材4は発泡スチロール、容器5はプラスチック製のハードケースで構成した。
【００２１】
実施例2の面状発熱部材7は、発熱部材と熱拡散部材の二つの機能を併せ持つものであり、クロマチックハーモニカの形状に合わせて容易に加工することが出来、またコンパクトであるとう利点を持つ。
【符号の説明】
【００２２】
１    熱拡散部材
２    発熱部材
３    温度制御装置
４    保温部材
５    容器
6    電源接続端子
7    面状発熱部材
8    バルブ
9    吹音リード
10    リード孔
11    リードプレート
12    カバー
13    マウスピース
14    スライドレバー
15    吸音リード
16    クロマチックハーモニカを収納する空間
【図１】
2017067969.tif 000003
【図２】
2017067969.tif 000004
【図３】
2017067969.tif 000005
【図４】
2017067969.tif 000006